(57)【要約】【課題】  振動等が繰り返し作用しても、緩みが生じることのないネジ締結体を提供する。【解決手段】  周面に雄ネジ３が螺設された棒状のネジ部２を備えたネジ締結体１であって、雄ネジ３の各ネジ山４の始端と終端とを軸線方向に所定の距離ずらし、そのずらした部分に軸線方向を向く回転規制面５、６をそれぞれ設ける。一方の部材１０と他方の部材１２とをネジ締結体１により締結する場合に、両回転規制面５、６がネジ孔１３に引っ掛かるようなことはなく、円滑にネジ締結体１のネジ部２をネジ孔１３に螺合させることができる。振動等によりネジ締結体１に緩む方向への荷重が作用した場合には、両回転規制面５、６がネジ孔１３の内面に引っ掛かり、ネジ締結体１が緩むのを防止する。【選択図】        図３
2005256855.tif 000002
【特許請求の範囲】
【請求項１】
周面に雄ネジが螺設された棒状のネジ部を備えたネジ締結体であって、前記雄ネジの各ネジ山の始端と終端とを軸線方向に所定の距離ずらし、そのずらした部分に軸線方向を向く回転規制面をそれぞれ設けたことを特徴とするネジ締結体。
【請求項２】
前記各ネジ山の始端を前記ネジ部の先端方向にずらし、前記各ネジ山の終端を前記ネジ部の後端方向にずらしたことを特徴とする請求項１に記載のネジ締結体。
【請求項３】
前記各ネジ山の始端及び終端のずらす距離を、前記ネジ部の１ピッチの１／３〜１／４の範囲内に設定したことを特徴とする請求項１又は２に記載のネジ締結体。
【発明の詳細な説明】
【技術分野】
【０００１】
本発明は、ネジ締結体に関し、特に、緩み防止機能を備えたネジ締結体に関するものである。
【背景技術】
【０００２】
２つの部材を締結する等のために使用されるネジ締結体の一例として、周面に雄ネジを螺設した棒状のネジ部と、ネジ部の一端に一体に設けられる頭部とを備えたものが知られている。
【０００３】
このようなタイプのネジ締結体を用い、例えば２つの部材を締結するには、一方の部材にネジ部よりも大径のばか孔を設けるとともに、他方の部材にネジ部に合致するネジ孔を設け、一方の部材のばか孔を挿通させたネジ締結体のネジ部を他方の部材のネジ孔に螺合させて所定のトルクで締め付ければ良いものである。
【０００４】
ところで、上記のような構成のネジ締結体にあっては、２つの部材間に振動等の荷重が繰り返し作用するような場合に、ネジ締結体に次第に緩みが生じ、２つの部材間にガタが生じてしまう。このため、定期的に増し締めをする等のメンテナンスが必要となる。
【０００５】
このようなネジ締結体の緩みを防止するために、ネジ締結体の頭部の座面にスプリングワッシャー等を介在させ、このスプリングワッシャー等のばね力によってネジ締結体に軸力を発生させ、ネジ締結体に緩みが生じるのを防止する方法が採られている（例えば、非特許文献１参照。）。
【０００６】
しかしながら、上記のような方法では、ネジ締結体に緩みが生じるのを完全に防止することができず、２つの部材間にガタが生じるのを完全に防止することはできず、定期的に増し締めする等のメンテナンスが必要になる。
【非特許文献１】技能ブックス（１７）機械要素のハンドブック、Ｐ３４「ゆるみ止め」、発行所「株式会社大河出版」
【発明の開示】
【発明が解決しようとする課題】
【０００７】
本発明は、上記のような従来の問題を解決したものであって、振動等が繰り返し作用しても、緩みが生じるようなことはなく、初期の締結力を長期的に維持することができ、これにより例えばメンテナンスフリーの状態で２つの部材を締結した状態に長期的に維持することができるネジ締結体を提供することを目的とするものである。
【課題を解決するための手段】
【０００８】
上記のような課題を解決するために、本発明の請求項１に係るネジ締結体は、周面に雄ネジが螺設された棒状のネジ部を備えたネジ締結体であって、前記雄ネジの各ネジ山の始端と終端とを軸線方向に所定の距離ずらし、そのずらした部分に軸線方向を向く回転規制面をそれぞれ設けた手段を採用している。
【０００９】
また、本発明の請求項２に係るネジ締結体は、請求項１に記載のネジ締結体であって、前記各ネジ山の始端を前記ネジ部の先端方向にずらし、前記各ネジ山の終端を前記ネジ部の後端方向にずらした手段を採用している。
【００１０】
さらに、本発明の請求項３に係るネジ締結体は、請求項１又は２に記載のネジ締結体であって、前記各ネジ山の始端及び終端のずらす距離を、前記ネジ部の１ピッチの１／３〜１／４の範囲内に設定した手段を採用している。
【発明の効果】
【００１１】
本発明は、前記のように構成したことにより、ネジ締結体のネジ部をネジ孔に螺合させる際には、各ネジ山の始端及び終端の回転規制面がネジ孔に引っ掛かるようなことはなく、円滑にネジ部をネジ孔に螺合させて所定のトルクで締め付けることができる。そして、ネジ締結体に振動等によって緩む方向への荷重が作用した場合には、ネジ締結体のネジ部の各ネジ山の始端及び終端の回転規制面がネジ孔の内面に引っ掛かることにより、ネジ部に緩みが生じるのが防止されることになる。従って、初期の締結力を長期的に維持することができるので、例えば２つの部材等を締結した場合に、その締結状態を長期的に維持することができる。
【発明を実施するための最良の形態】
【００１２】
以下、図面に示す本発明の実施の形態について説明する。
図１〜図３には、本発明によるネジ締結体の一実施の形態が示されていて、このネジ締結体１は、周面に雄ネジ３が螺設される棒状のネジ部２と、ネジ部２の一端に一体に設けられる頭部７とを備えている。
【００１３】
ネジ部２は、棒状をなすものの周面に断面三角形状のネジ山４を所定のピッチで全長に渡って螺設して雄ネジ３を形成したものであって、各ネジ山４は始端ａと終端ｂが軸線方向に所定の距離ずれるように形成されている。
【００１４】
各ネジ山４の軸線方向にずれた始端ａ及び終端ｂの部分には、それぞれネジ部２の軸線方向を向く平面である回転規制面５、６が設けられ、始端側の回転規制面５はネジ部２の締付け方向に対向するように設けられ、終端側の回転規制面６はネジ部２の緩み方向に対向するように設けられている。
【００１５】
始端側の回転規制面５及び終端側の回転規制面６は、それぞれネジ部２の雄ネジ３の断面形状に応じた形状に形成され、この実施の形態においては、ネジ部２の雄ネジ３を断面三角形状に形成しているので、両回転規制面５、６も三角形状に形成されている。
【００１６】
各ネジ山４の始端と終端のずれの距離は、雄ネジ３の１ピッチの１／３〜１／４の範囲内に設定するのが好ましい。但し、この範囲内に必ずしも限らず、ネジ締結体１の材質等に応じて、適宜に範囲を設定することができる。
【００１７】
そして、上記のように構成したこの実施の形態によるネジ締結体１を用いて例えば２つの部材を連結するには、図３に示すように、一方の部材１０にばか孔１１を設け、このばか孔１１に対応する他方の部材１２の部分にネジ孔１３を設ける。この場合、ネジ孔１３には、ネジ締結体１のネジ部２の雄ネジ３と合致する雌ネジ１４を螺設する。
【００１８】
そして、一方の部材１０と他方の部材１２とを密着させて、ばか孔１１とネジ孔１３とを一致させ、ネジ締結体１のネジ部２をばか孔１１を挿通させてネジ孔１３に螺合させ、所定のトルクで締め付ける。
【００１９】
この場合、各回転規制面５、６がネジ孔１３の内面に引っ掛かるようなことはなく、ネジ部２は滑らかにネジ孔１３に螺合され、ネジ締結体１を介して一方の部材１０と他方の部材１２が一体に連結される。
【００２０】
そして、一方の部材１０又は他方の部材１２に振動等の荷重が繰り返し作用した場合には、ネジ締結体１のネジ部２にその荷重によって緩む方向への力が加わろうとするが、各回転規制面５、６がネジ孔１３の内面に引っ掛かることにより、ネジ部２が緩む方向への回転が阻止される。従って、ネジ締結体１に緩みが生じるのが阻止され、一方の部材１０と他方の部材１２との間にガタが生じるのが防止される。
【００２１】
なお、前記の説明においては、ネジ締結体１として、ネジ部２と頭部７とからなるものを示したが、図示はしないが、ネジ部のみからなるもの、筒状のネジ部からなるもの等、各種のものに本発明によるネジ締結体１を適用しても良いものであり、その場合にも同様の作用効果を奏するものである。さらに、前記の説明においては、本発明によるネジ締結体１を２つの部材１０、１２の締結に使用したが、その他の用途に本発明によるネジ締結体１を使用しても良いものであり、その場合にも同様の作用効果を奏するものである。
【図面の簡単な説明】
【００２２】
【図１】本発明によるネジ締結体の一実施の形態を示した平面図である。
【図２】図１の部分拡大図である。
【図３】図１に示すネジ締結体の使用例を示した説明図である。
【符号の説明】
【００２３】
１  ネジ締結体
２  ネジ部
３  雄ネジ
４  ネジ山
５、６  回転規制面
７  頭部
１０  一方の部材
１１  ばか孔
１２  他方の部材
１３  ネジ孔
１４  雌ネジ
ａ  始端
ｂ  終端
【図１】
2005256855.tif 000003
【図２】
2005256855.tif 000004
【図３】
2005256855.tif 000005